(57)【要約】【課題】本発明は、森林保全、林業振興のためにその有効利用が要請されている間伐材等の木材を利用して、施工が容易で工事費が安く、施行後の景観も良好な法枠を形成する法枠形成部材を提供することを目的とするものである。【解決手段】  法枠形成部材で、略円柱状をなす間伐材と、間伐材の長手方向に向かい間伐材の対向する外周対向側面及び上面に各々設けられた取付凹溝条と、取付凹溝条内に嵌め込まれる紐状固定部材と、紐状固定部材の両端側で、紐状固定部材を係止するアンカー部材を有し、アンカー部材は、取付面に接地して取り付けられる平板状取付板と、取付板上に載置され、紐状固定部材部材が巻き付いて係止される係止凹部を外周側面に有する取付円柱体と、取付円柱体及び取付板を固定するアンカー棒と、地中に打ち込まれたアンカー棒の上部に形成された取付部材固定部を備えたことを特徴とする。【選択図】              図１
2005061113.tif 000002
【特許請求の範囲】
【請求項１】
法面に設置されて枠内部に客土が保持される法枠を形成する法枠形成部材であり、
切断された略円柱状をなす間伐材と、
前記切断された間伐材の長手方向に向かい間伐材の対向する外周対向側面及び上面に各々設けられた取付凹溝条と、
前記取付凹溝条内に嵌め込まれる紐状固定部材と、
前記紐状固定部材の両端側で、該紐状固定部材を係止するアンカー部材と、
を有し、
前記アンカー部材は、取付面に接地して取り付けられる平板状取付板と、該取付板上に載置され、前記紐状固定部材部材が巻き付いて係止される係止凹部を外周側面に有する取付円柱体と、該取付円柱体及び取付板を固定するアンカー棒と、
該地中に打ち込まれたアンカー棒の上部に形成された取付部材固定部と、
を備えたことを特徴とする法枠形成用部材。
【発明の詳細な説明】
【技術分野】
【０００１】
本発明は、たとえば山の傾斜面、法面あるいは堤防や道路の法面等の崩壊を防止するべく、前記法面等の表面に沿って設置される間伐材を使用した斜面安定化のための法枠形成部材に関するものである。
【背景技術】
【０００２】
近年、山の傾斜面、堤防や道路の法面等傾斜面の崩壊を防止するための土留の重要性が叫ばれている。
【０００３】
ここで、これらの土留の形成には、従来より法面等に沿ってコンクリートを打設したり、コンクリート製ブロックを例えばマトリックス状に設置したりして土留を形成していた。
【０００４】
しかしながら、近年において環境保護の見地から、上記従来のコンクリートを多用する土留はその見直しが計られるものとなり、環境保護に適合した土留形成の提案が要請されているに至った。
【０００５】
そしてこの環境保護の要請に応えるものとして、法枠を法面等に沿って設置するとともに、該法枠内に客土を保持して緑化を図る方法が実用化されている。
【特許文献１】特開平１１−１２４８４８号公報
【発明の開示】
【発明が解決しようとする課題】
【０００６】
しかしながら、従来の法枠では、型枠にコンクリートを流し込んで成型したものであるため、施工が大がかりで工事費が高くなるとともに、施行後の景観も見劣りのするものであった。
【０００７】
本発明は、上記従来の法枠が有する問題点に鑑み、森林保全、林業振興のためにその有効利用が要請されている間伐材等の木材を利用して、施工が容易で工事費が安く、施行後の景観も良好な法枠を形成する法枠形成部材を提供することを目的とするものである。
【課題を解決するための手段】
【０００８】
本発明による法枠形成部材は、
法面に設置されて枠内部に客土が保持される法枠を形成する法枠形成部材であり、
切断された略円柱状をなす間伐材と、
前記切断された間伐材の長手方向に向かい間伐材の対向する外周対向側面及び上面に各々設けられた取付凹溝条と、
前記取付凹溝条内に嵌め込まれる紐状固定部材と、
前記紐状固定部材の両端側で、該紐状固定部材を係止するアンカー部材と、
を有し、
前記アンカー部材は、取付面に接地して取り付けられる平板状取付板と、該取付板上に載置され、前記紐状固定部材部材が巻き付いて係止される係止凹部を外周側面に有する取付円柱体と、該取付円柱体及び取付板を固定するアンカー棒と、
該地中に打ち込まれたアンカー棒の上部に形成された取付部材固定部と、
を備えたことを特徴とするものである。
【発明の効果】
【０００９】
本発明の法枠形成部材によれば、短寸に切断した間伐材にその長手方向に沿って取付凹溝条を形成し、該取付凹溝条内に紐状固定部材を嵌め込んで間伐材を法面に固定でき、きわめて簡単な作業で法枠形成が行える。
【００１０】
しかもその法枠形成は格子状のみならず、菱形、台形等いずれの形をも形成することが出来る。
【００１１】
また、前記大量の間伐材をアンカー部材で確実に地面に固定でき、これにより形成した法枠をいかなる傾斜をした法面であっても簡単かつ確実に設置することができる。
【発明を実施するための最良の形態】
【００１２】
以下、本発明による法枠形成部材の実施の形態を図面に基づいて説明する。
【実施例１】
【００１３】
図１、図２に、本発明の法枠形成部材１の第１実施例を示す。
【００１４】
この法枠形成部材１は、例えば１０数センチの短寸に切断された略円柱状をなす間伐材２を使用する。
森林保全、林業振興のためには積極的に間伐を行う必要がある。そしてそれにより大量に発生する間伐材２の積極的利用は環境保全を図る上からも重要な課題となっている。
【００１５】
しかして、前記短寸に切断された間伐材２の長手方向に向かっては間伐材２の対向する外周対向側面及び上面の三カ所に断面略U字状に穿設された取付凹溝条３が設けられている。
【００１６】
この取付凹溝条３内には図３から理解されるように紐状をなす、例えばワイヤーロープなどの固定部材４が嵌め込まれて短寸の間伐材３を固定するものとなる。
【００１７】
すなわち、間伐材２の対向する外周対向側面に穿設された取付凹溝条３、３内に前記固定部材４，４が嵌め込まれて間伐材２をしっかりと挟持し、さらに上面の取付凹溝条内にも固定部材４が嵌め込まれて、間伐材２が浮き上がるのを防止するものとしている。
【００１８】
さらに図２から理解されるように、ワイヤーロープ等紐状固定部材４の端部側では、該紐状固定部材４を係止するアンカー部材５が設けられている。
【００１９】
ここで、アンカー部材５は、取付面である地面６に接地して取り付けられている略正方形状の平板状をなす取付板７と、例えば該取付板７上に設けられ、前記ワイヤーロープ等紐状固定部材部材４を巻き付けて係止する係止凹部８を外周側面に有する取付円柱体９と、該取付円柱体９及び取付板７を固定すべく地中に打ち込まれた長尺釘状のアンカー棒１０と、該アンカー棒１０の上部に例えば切り込みを入れることにより形成する取付部材固定部１１とを備えて構成されている。
以上において、図２から理解される様に、まず所定の位置にアンカー部材５を打ち込んで行く。
【００２０】
次いで所定の長さに切断した間伐材２であってその外周面に取付凹溝状３が設けられたものを用意し、該間伐材２を法面に取り付けたアンカー部材５，５間に配置していく。
【００２１】
この配置した間伐材２を前記した取付凹溝状３内に紐状固定部材４を嵌め込むことにより固定していく。
【００２２】
図２では間伐材２を格子状に組んで法枠を形成しているが、この実施例に限定されるものではなく、菱形あるいは台形等あらゆる形の形状に組むことが可能となっている。
また、コンクリートで形成された法枠とは異なり、本発明で形成した法枠であれば、法面の植生状態をきわめて良好にすることができる。
【００２３】
さらに、長期間の経過とともに間伐材２が風化してしてまい、この間伐材２がひいては土に還ることとなって異物の残留を極めて少なくするとの効果も期待できる。
【００２４】
しかも施工が容易であり、かつ材料費や工事費が安く、さらに施工後、自然に近い良好な景観を確保することもできる。
【００２５】
また、紐状固定部材４を取付凹溝条３内に嵌め込んで間伐材２を法面に固定することにより、法枠部材を法面に簡単かつ確実に設置することができるものとなっている。
【産業上の利用可能性】
【００２６】
本発明は間伐材の代わりに通常の丸太材を短寸に切断し、それを法枠形成部材として使用することもできる。
【図面の簡単な説明】
【００２７】
【図１】本発明の法枠形成部材により法枠を形成した状態の説明図（その１）である。
【００２８】
【図２】本発明の法枠形成部材により法枠を形成した状態の説明図（その２）である。
【００２９】
【図３】アンカー部材の構成を示す説明図である。
【００３０】
【図４】間伐材に紐状固定部材を嵌め込んで固定した状態を説明する説明図である。
【００３１】
【図５】取付凹溝条を穿設した間伐材の正面図である。
【００３２】
【図６】取付凹溝条を穿設した間伐材の斜視図である。
【００３３】
【図７】紐状固定部材部材４を巻き付けて係止した状態を説明する説明図である。
【符号の説明】
【００３４】
１    法枠形成部材
２    間伐材
３    取付凹溝条
４    固定部材
５    アンカー部材
６    地面
７    取付板
８    係止凹溝
９    取付円柱体
１０  アンカー棒
１１  取付部材固定部
【図１】
2005061113.tif 000003
【図２】
2005061113.tif 000004
【図３】
2005061113.tif 000005
【図４】
2005061113.tif 000006
【図５】
2005061113.tif 000007
【図６】
2005061113.tif 000008
【図７】
2005061113.tif 000009